(57)【要約】【課題】  アームレストを傾倒可能とした場合に、基体側と傾倒されたアームレストの表面との間に段差が生じることがなく、基体側側面と傾倒されるアームレストの下面とが平行でない場合にも、基体側と傾倒されたアームレストの表面との間に隙間が生じることがなく容易にアームレストの傾倒が可能とした幼児用シートを得ること。【解決手段】  幼児が主に臀部を乗せる座部の側部に設けられた厚みが大きいアームレスト３０の少なくとも上半部３１を、ヒンジ機構３５、３６によりアームレストの基体側３２に対して外側方に水平状態に傾倒可能にされている。上記傾倒可能なアームレスト上半部３１は上記ヒンジ機構に対して外側方向に移動可能とし、傾倒されたアームレスト上半部３１の上面とそのアームレスト上半部が装着されている基体側３２の上面とが同一面になるように構成されている。【選択図】  図１１
2005278972.tif 000002
【特許請求の範囲】
【請求項１】
幼児が主に臀部を乗せる座部と、この座部の後方に配置され、リクライニング機構を有する背部と、上記座部の前方に設けられたステップにより構成された幼児用シートにおいて、上記座部の側部に設けられた厚みが大きいアームレストの少なくとも上半部をヒンジ機構によりアームレストの基体側に対して外側方に水平状態に傾倒可能にするとともに、上記傾倒可能なアームレスト上半部を上記ヒンジ機構に対して外側方向に移動可能とし、傾倒されたアームレストの上面とそのアームレスト上半部が装着されている基体側の上面とが同一面になるように構成されていることを特徴とする、幼児用シート。
【請求項２】
上記アームレストの基体側にはその内部に前後方向に延びる軸が設けられており、その軸に、アームレストの基体側から外方に突出され垂直及び水平状態間を回動可能なリンクを設けるとともに、上記リンクの先端部が前記アームレスト上半部の底面部に形成された左右方向に延びる長孔に挿通係合され、上記アームレスト上半部が上記リンクに対して外側方向に移動可能としてあることを特徴とする、請求項１記載の幼児用シート。
【請求項３】
上記軸は、その前部及び後部がブラケットに設けられた嵌合穴によりアームレストの基体側に保持されており、上記軸の前部或いは後部の一方を支持する嵌合穴が左右方向に延びる長穴とされ、上記軸の角度が左右方向に変更可能としてあることを特徴とする、請求項２記載の幼児用シート。
【請求項４】
アームレストの基体側の上面及び水平状態に傾倒されたアームレスト上半部の上面の少なくとも一方には、物品載置用の凹部が形成されていることを特徴とする、請求項１乃至３のいずれかに記載の幼児用シート。
【請求項５】
座部の前方に設けられたステップの左右両側には比較的厚さが大きい側壁が設けられていることを特徴とする、請求項１乃至４のいずれかに記載の幼児用シート。
【発明の詳細な説明】
【技術分野】
【０００１】
本発明は、新生児、乳児或いは児童等の幼児のためにベッドとしても使用可能な幼児用シートに関する。
【背景技術】
【０００２】
従来、幼児用シートにリクライニング機構を設け、幼児を寝かせた状態にしたり、或いは腰掛けた状態にさせることができるようにするとともに、その幼児用シートを支持する脚部に車輪を設け室内を自由に移動可能とし、さらに食事をする際等に高さを調節できるようにしたものが提案され実用に供されている。すなわち、上記幼児用椅子としては、前脚と後脚の中間部を互いに枢着することによりＸ字状に構成された左右一対のＸ字脚によってシートを支持するようにし、Ｘ字状の前脚と後脚とを互いに接近する方向或いは離間する方向に回動させることにより、シートの高さの調節を行うことができるようにするとともに、室内での移動時に方向転換が容易に行われるようにするために、特に前脚の先端部にキャスターを設けることが行われている。
【０００３】
一方、上記幼児用シート周りのスペースを有効に利用するために座部の両側に水平方向に傾倒可能な側板を設け、その側板を例えば幼児のおむつ変え時等におむつやパウダー等をのせる物置台として利用することも提案されている。
【特許文献１】特開２００３−２４１８９号公報
【特許文献２】特開２００３−８８４５１号公報
【発明の開示】
【発明が解決しようとする課題】
【０００４】
ところが、上記幼児用シートによっては左右のアームレストの幅すなわち厚さが大きく形成されているものにおいては、通常のヒンジ機構により上記アームレストを傾倒可能とした場合には、基体側と傾倒されたアームレストの表面との間に段差が生じ、物置台としての機能が損なわれる等の問題がある。また、上記基体側と傾倒されたアームレストの表面との間に段差が生じないようにする場合にも、基体側側面と傾倒されるアームレストの下面とが平行であることが必要であるが、最近の幼児用シートにおいてはデザイン的な観点からアームレストの幅が前方ほど狭くなるようにしたものがあり、このような幼児用シートにおいては通常のヒンジ機構を採用することが困難である等の問題がある。
【０００５】
本発明は、このような点に鑑み、アームレストを傾倒可能とした場合に、基体側と傾倒されたアームレストの表面との間に段差が生じることがない幼児用シートを得ることを目的とする。さらに、基体側側面と傾倒されるアームレストの下面とが平行でない場合にも、基体側と傾倒されたアームレストの表面との間に隙間が生じることがなく容易にアームレストの傾倒が可能とした幼児用シートを得ることを目的とする。
【課題を解決するための手段】
【０００６】
請求項１に係る発明は、幼児が主に臀部を乗せる座部と、この座部の後方に配置され、リクライニング機構を有する背部と、上記座部の前方に設けられたステップにより構成された幼児用シートにおいて、上記座部の側部に設けられた厚みが大きいアームレストの少なくとも上半部をヒンジ機構によりアームレストの基体側に対して外側方に水平状態に傾倒可能にするとともに、上記傾倒可能なアームレスト上半部を上記ヒンジ機構に対して外側方向に移動可能とし、傾倒されたアームレストの上面とそのアームレスト上半部が装着されている基体側の上面とが同一面になるように構成されていることを特徴とする。
【０００７】
請求項２に係る発明は、請求項１に係る発明において、上記アームレストの基体側にはその内部に前後方向に延びる軸が設けられており、その軸に、アームレストの基体側から外方に突出され垂直及び水平状態間を回動可能なリンクを設けるとともに、上記リンクの先端部が前記アームレスト上半部の底面部に形成された左右方向に延びる長孔に挿通係合され、上記アームレスト上半部が上記リンクに対して外側方向に移動可能としてあることを特徴とする。
【０００８】
請求項３に係る発明は、請求項２に係る発明において、上記軸は、その前部及び後部がブラケットに設けられた嵌合穴によりアームレストの基体側に保持されており、上記軸の前部或いは後部の一方を支持する嵌合穴が左右方向に延びる長穴とされ、上記軸の角度が左右方向に変更可能としてあることを特徴とする。
【０００９】
請求項４に係る発明は、請求項１乃至３のいずれかに係る発明において、基体側の上面及び水平状態に傾倒されたアームレスト上半部の上面の少なくとも一方には、物品載置用の凹部が形成されていることを特徴とする。
【００１０】
請求項５に係る発明は、請求項１乃至４のいずれかに記載の発明において、座部の前方に設けられたステップの左右両側には比較的厚さが大きい側壁が設けられていることを特徴とする。
【発明の効果】
【００１１】
本発明は、上述のように上記座部の側部に設けられた厚みが大きいアームレストの少なくとも上半部をヒンジ機構により基体側に対して水平状態に傾倒可能にするとともに、上記傾倒可能なアームレスト上半部を上記ヒンジ機構に対して外側方向に移動可能とし、傾倒されたアームレストの上面とそのアームレスト上半部が装着されている基体側の上面とが同一面になるように構成されているので、基体側の上面とともに傾倒されたアームレストの上面とが同一面になり物置台に使用することができ、シート周りのスペースを有効に利用でき、また、ヒンジ機構を構成する軸の前部或いは後部の一方を支持する嵌合穴が左右方向に延びる長穴とされ、上記軸の角度が変更可能としてあるため、基体側側面と傾倒されるアームレスト下半部の下面とが平行でない場合にも、基体側と傾倒されたアームレストの表面との間に隙間が生じることがなく容易にアームレストの傾倒が可能である等の効果を奏する。
【発明を実施するための最良の形態】
【００１２】
以下、添付図面を参照して本発明の実施の形態を説明する。
【００１３】
図１は幼児用椅子の概略構成を示す斜視図、図２はその側面図であって、幼児用シート１は左右一対のＸ字状に形成されたＸ字脚２によって支持されている。上記Ｘ字脚２は、前脚３及び後脚４の中間部をピン５によって互いに枢着することにより構成されており、左右の前脚３は前部連結杆６ａにより連結され、左右の後脚４は後部連結杆６ｂ（図２）により連結されている。上記後脚４の上端部はシート支持部材７の前部に設けられたボス８に枢着されており、前脚３の上端部はシート支持部材７の後部に上記シート支持部材７対して前後動可能に設けられたヒンジ結合部９に枢着されている。そして、上記シート支持部材７の外側面には、鎖線で示すように、そのシート支持部材７、並びに前記ボス８及びヒンジ結合部９の上部を覆うカバーが設けられており、上記シート支持部材７上に前記幼児用シート１が載置装着されている。
【００１４】
上記幼児用シート１は図１及び図２に示すように、幼児が主に臀部を乗せる座部１０と、この座部１０の後方に配置された背部１１と、背部１１の上方に設けられたヘッドレスト１２と、座部１０の前方に設けられたステップ１３により構成されており、上記背部１１は、図１に示すように立ち上げられ椅子として使用可能な状態と、図３に示すように後方に倒されベッドとして使用可能な状態とすることが出来るように、リクライニング機構を有している。そしてベッドとして使用可能な状態に背部１１を倒したときには、上記背部１１の後方への揺動に対応してステップ１３も上方に揺動し、幼児の足が支持されるようにしてある。上記ステップ１３の両側部には比較的厚さが大きい側壁１３ａが設けられており、上述のようにベッドとしての使用中における乳幼児の転落が防止されるとともに、もしかしたら落ちるかもしれないという視覚的な不安感がなくなるようにしてある。
【００１５】
図４は前脚３及び後脚４とシート支持部材７との連結部の構成を示す図であり、後脚４の上端部がシート支持部材７のボス８にピン１４により枢着され、前脚３の上端部がヒンジ結合部９にピン１５により枢着されている。上記ヒンジ結合部９にはスライドバー１６が一体的に設けられており、そのスライドバー１６がシート支持部材７内に前後方向にスライド可能に収納されている。すなわち、スライドバー１６には前後方向すなわち長手方向にヒンジ結合部９まで延びる長孔１７が形成されている。この長孔１７に対し、シート支持部材７に所定の間隔をもって突設された２本のピン１８が嵌挿されており、上記長孔１７とピン１８との係合によりスライドバー１６が長手方向に摺動可能としてある。このスライドバー１６は図示しないバネにより図４中左方向、すなわちＸ字脚２が延びて高くなる方向に付勢されている。
【００１６】
スライドバー１６は断面四角形をしており、そのスライドバー１６の上面には長手方向に複数の調節孔１９が列状に配設されている。一方、シート支持部材７には上記調節孔１９のいずれかに選択的に差し込まれるピン２０が上下動可能に設けられている。ピン２０はバネ２１によって差込方向に付勢されており、また、ピン２０の拡径された部分に係止するするレバー２２が設けられている。このレバー２２はシート支持部材７の外側に突出されており、上記ピン２０に沿って上下動可能としてある。
【００１７】
しかして、シート支持部材７の外側からレバー２２を上方に引き上げると、バネ２１の付勢力に抗してピン２０が上方に移動し、調節孔１９から外れる。ピン２０が調節孔１９から外れることによりスライドバー１６は図示しないバネの作用により図中左方向に移動し、これによりＸ字状に交差してヒンジ結合されているＸ字脚２が延び、椅子の高さが高くなる。
【００１８】
一方、この状態でピン２０を調節孔１９から引き抜き、シート支持部材７を押し下げると、スライドバー１６がヒンジ結合部９とともに図２において右方向に移動して前脚３及び後脚４の傾斜角が小さくなり、上記ヒンジ結合部９が最も右に移動するとピン２０が調節孔１９に係合し高さが低い折り畳み状態となる。この折り畳み状態を図５に示す。
【００１９】
また、全ての前脚３及び後脚４の下端部にはそれぞれキャスター２４が設けられている。しかして、上記キャスター２４により幼児用椅子は前後左右に容易に移動することが出来、旋回性を十分向上させることができ、小回りが利き、狭い室内でも自由に移動させることができる。
【００２０】
ところで、座部１０の両側には厚さが大きいアームレスト３０が設けられており、そのアームレスト３０は、図６に示すように、その上半部３１が基体側３２に対して水平面により分離されており、その上半部３１が図７に示すように垂直状態から水平に傾倒可能として物置台として利用可能としてある。そして、アームレストの基体側３２の上面及び水平状態に傾倒されたアームレスト上半部３１の上面の少なくとも一方には、おむつ替え時等において、おむつやパウダ容器等のおむつ替え用具或いはコップ等を載置する凹部３３、３４が形成されている。
【００２１】
すなわち、図８に示すように、上記アームレスト３０の基体側３２にはその内部に前後方向に延びる軸３５が設けられており、その軸３５には前部及び後部に２つのリンク３６、３６が設けられており、上記リンク３６の先端部が上記アームレスト３０の基体側３２に形成された長孔３７から外方向に突出されている。上記長孔３７はアームレスト３０の基体側３２の上面及び外側面に亘る隅各部に形成されており、その長孔３７から突出されているリンク３６が軸３５を中心として垂直状態と水平状態間を回動可能としてある。上記リンク３６の先端部は前記アームレスト３０の上半部３２に設けられた左右方向に延びる長穴３８に挿入係合されており、上記アームレスト３０の上半部３２が上記長穴３８に沿ってリンク３６に対して左右方向のみに移動可能としてある。
【００２２】
図９及び図１０は、アームレスト３０を下方から見た図であり、前記軸３５の両端部がアームレストの基体側３２内に設けられたブラケット４０、４１の嵌合穴４２、４３に軸着されている。すなわち、アームレストの基体側３２の前方側のブラケット４０に形成された嵌合穴４２は円穴としてあり、その円穴からなる嵌合穴４２に上記軸３５の前部が挿通軸支されており、後方側のブラケット４１に設けられた嵌合穴４３はアームレスト３０に対して左右方向に延びる長穴としてあり、その長穴からなる嵌合穴４３に上記軸３５の後部が挿通軸支され、上記軸３５の後部が嵌合穴４３に沿って左右方向に移動して、水平面内における軸３５の角度が変更可能としてある。
【００２３】
また、上記アームレスト上半部３１の後端部にはスプリング４４により突出方向に付勢されたロック部材４５が設けられており、上記アームレスト上半部３１の側部に設けられている操作釦４６を操作することにより、上記ロック部材４５をアームレストの基体側３２に設けられている係合穴４７に係脱し得るようにしてある（図１１（ｃ））。すなわち、上記ロック部材４５を係合穴４７に挿入係合させることによりアームレスト上半部３１を通常の垂直状態に保持し、操作釦４６を介してロック部材４５をスプリング４４に抗して引き込み方向に移動させて係合穴４７から離脱させることにより、上記アームレスト上半部３１を水平状態に傾倒させることができる。
【００２４】
しかして、幼児用シートを例えば図１に示すように通常の椅子として使用する場合には、アームレスト上半部３１が図６に示すように垂直状態にされ、前記ロック部材４５が係合穴４７に係合されることにより上記垂直状態が維持されている。そこで、例えばおむつ替えを行う場合には、上記幼児用シートの背部１１を後方に倒し幼児を寝かせた状態にするとともに、アームレスト上半部３１を外側方に傾倒させ、その傾倒されたアームレスト上半部３１を物置台として使用できるようにする。
【００２５】
すなわち、上記アームレスト上半部３１を傾倒させる場合には、ロック部材４５を係合穴４７から離脱させた後、上記アームレスト上半部３１を、図１１（ｂ）及び図８の鎖線で示すようにシートの外側方向に移動させた後、そのアームレスト上半部３１を軸３５を中心として回動させると、アームレスト上半部３１は図８の点線で示すようになり、転倒されたアームレスト上半部３１の上面がアームレストの基体側３２上面と同一平面状態となる。
【００２６】
ところで、アームレストの幅が前方ほど小さくなり、アームレストの基体側３２の外側面がアームレスト３０の内側面と平行でない場合には、アームレスト上半部３１を上述のように単に傾倒したとき、アームレストの基体側３２の外側面と、そのアームレストの基体側３２の外側面と対向するアームレスト上半部３１の底面との間に隙間が生じることとなるが、本発明においては、前述のようにアームレスト上半部３１を軸支する軸３５の角度が可変としてあるので、前記アームレスト上半部３１を軸３５の周りに回動させると、軸３５の後端部が図１０に示すようにブラケット４１の長穴状の嵌合穴４３に沿って外側に移動し、図１１（ｃ）において点線で示すように、上記軸３５がアームレストの基体側３２の外側面と平行状態となる。しかして、アームレスト上半部３１を外側に転倒させた時には、転倒されたアームレスト上半部３１の底面がアームレストの基体側３２の外側面と互いに接するようになるとともに、転倒されたアームレスト上半部３１の上面とアームレストの基体側３２の上面とが同一平面となり、その両者によって物置台を構成させることができ、アームレスト周辺のスペースを有効に利用することができる。
【図面の簡単な説明】
【００２７】
【図１】本発明の幼児用椅子の斜視図。
【図２】本発明の幼児用椅子の側面図。
【図３】幼児用シートを寝台として使用可能とした状態を示す斜視図。
【図４】前脚及び後脚とシート支持部材との連結部の構成を示す図。
【図５】幼児用椅子をローポジションとした状態を示す側面図。
【図６】アームレストの外面を示す斜視図。
【図７】アームレスト上半部を傾倒させた状態を示す斜視図。
【図８】アームレスト上半部とアームレストの基体側との連結状態を示すとともに、アームレスト上半部の転倒作動状態を示す図。
【図９】アームレストの下方から見た図。
【図１０】図９においてアームレスト上半部が転倒された状態を示す図。
【図１１】（ａ）、（ｂ）、（ｃ）はアームレスト上半部の転倒の作動説明図。
【符号の説明】
【００２８】
１  幼児用シート
２  Ｘ字脚
３  前脚
４  後脚
７  シート支持部材
８  ボス
９  ヒンジ結合部
１０  座部
１１  背部
１３  ステップ
１６  スライドバー
１７  長孔
１９  調節孔
２０  ピン
２２  レバー
２４  キャスター
３０  アームレスト
３１  アームレスト上半部
３２  アームレストの基体側
３３、３４  凹部
３５  軸
３６  リンク
３７、３８  長孔
４０、４１  ブラケット
４２、４３  嵌合穴
【図１】
2005278972.tif 000003
【図２】
2005278972.tif 000004
【図３】
2005278972.tif 000005
【図４】
2005278972.tif 000006
【図５】
2005278972.tif 000007
【図６】
2005278972.tif 000008
【図７】
2005278972.tif 000009
【図８】
2005278972.tif 000010
【図９】
2005278972.tif 000011
【図１０】
2005278972.tif 000012
【図１１】
2005278972.tif 000013